(57)【要約】【課題】従来の工事用等のブルーシートでは、剪定作業現場に適応した大きさのものを準備することは容易ではない。よって、実際は複数のシートを適当に重ね合わせて地面に敷設していた。しかし、シート内に落下した枝葉等を回収する際に、複数のそれぞれのシートを落下した枝葉等がこぼれ落ちないように丸めるなどして回収しなければならなかった。【解決手段】この発明による剪定ネットは、複数の単位ネットから構成される剪定ネットであって、単位ネットの周縁部に他の単位シートと互いに接続可能な接続手段を備えていることを特徴とする。このように構成すれば、単位ネット同士を任意に組み合わせて、互いの接続部を接続して所望の形状及び大きさを備えた一枚の剪定ネットになるので、作業現場に応じた形状及び、大きさの剪定ネットを作成することが可能となる。【選択図】  図４
0003102163.tif 000002
【実用新案登録請求の範囲】
【請求項１】
各単位ネットの周縁部に他の単位ネットと交互に接続可能な手段を備えている剪定用ネットであって、その接続手段は、面ファスナーであることを特徴とする剪定用単位ネット。
【請求項２】
ネットを互いに接合するためにネットの縁に面ファスナーの雄テープと雌テープが裏表交代的に設置されている請求項1に記載の剪定用単位ネット。
【請求項３】
単位ネットの四角が４５度にカットされている請求項1に記載の剪定用単位ネット。
【請求項４】
単位ネットの各縁のテープ交代部に面ファスナーの幅に相当する長さに切込まれていることを特徴とする請求項1に記載の剪定用単位ネット。
【考案の詳細な説明】
【技術分野】
【０００１】
この発明は、植木の剪定作業の際に植木の下に敷設し、落下した枝葉等を収集するのに使用する剪定ネットに関する。
【背景技術】
【０００２】
従来、植木の剪定作業を行う際には、その植木の下の地面の上に、工事用のシート等を拡げ、その上に脚立や梯子を立てて、その上に人が乗って植木に対する剪定作業を行い、落下する枝葉等を収集するようにしていた。
【特許文献１】特開平８−２３７７７号公報
【考案の開示】
【考案が解決しようとする課題】
【０００３】
しかしながら、従来の工事用等のブルーシートでは、剪定作業現場に適応した大きさのものを準備することは容易ではない。よって、実際は複数のシートを適当に重ね合わせて地面に敷設していた。しかし、シート内に落下した枝葉等を回収する際に、複数のそれぞれのシートを落下した枝葉等がこぼれ落ちないように丸めるなどして回収しなければならなかった。
【０００４】
また、作業現場においてシートを敷設した所はシートに隠れて見えない為、作業者が脚立や梯子を立設する上で地面のコンディションの良い安全な場所を選定することが難しいという問題もあった。また、シートの上に脚立や梯子を立設した場合、例えば、ブルーシートでは脚立や梯子の荷重が、ブルーシートの一部に集中するため、破れ易いという問題もあった。
【課題を解決するための手段】
【０００５】
この目的を達成するために、この発明による剪定ネットは、複数の単位ネットから構成される剪定ネットであって、単位ネットの周縁部に他の単位シートと互いに接続可能な接続手段を備えていることを特徴とする。このように構成すれば、単位ネット同士を任意に組み合わせて、互いの接続部を接続して所望の形状及び大きさを備えた一枚の剪定ネットになるので、作業現場に応じた形状及び、大きさの剪定ネットを作成することが可能となる。
【０００６】
この発明の実施にあたり、単位ネットの形状は、方形であること及び四隅を面取りすることを特徴とする。このように構成すれば、方形同士が組み合わされることによって異なる形状及び異なる方形が形成されるので、方形の単位シートを組み合わせることによって様々な態様の剪定ネットを作成することが可能となる。
【０００７】
この発明の実施に当たり、接続手段は、面ファスナーであり単位ネットの四隅を面取りすることを特徴とし、他の単位ネットとの接合がよりスムーズに行われる。また、単位ネットの四隅を面取りすることにより落ち葉等の剪定くずが、一粒も洩れることがなくなる特徴がある。
【０００８】
この発明の実施に当たり、接続手段は、面ファスナーであり、単位ネットのファスナーは各辺の半分を表面あとの半分を裏面にそれぞれファスナーを装着する特徴がある。ファスナーの色は裏面と表面はそれぞれ異なった二色とすることによって、雄面と雌面との区別を一目で分かるようにすることができる。
【０００９】
この発明の実施に当たり、単位ネットの面ファスナーの中心部に風のあおりを防ぎ、なお且つ池等を覆いめぐらせるために引っ張るために穴を設けることもできる。従来、単位シートの縁は裏表合計八面になるので四隅の重なり部分が厚くなり、すき間ができて外れやすく落ち葉等がもれやすい。また、市販のブルーシートでは植木があれば敷設できず、市販ネットを使用すれば幅が狭くてすき間だらけになり、剪定された枝葉等の回収に手間がかかる。
【００１０】
この発明の実施に当たり、大きさの異なる図1の単位ネットと図２の単位ネットを適宜組み合わせることにより植木のある所をかわす（避ける）ことが可能であることを特徴とする。
【００１１】
この発明の実施に当たり、剪定ネットは、透視可能なシート面を備えていることを特徴とする。このように構成したので、透視可能な剪定ネットよってその下方の地面のコンディションの見通しが良くなるので、作業現場における脚立や梯子の足場選びに際し地面のコンディションの良い場所を選定することが可能となる。また、破れにくいネットを用いたので剪定ネットの上に重い脚立や梯子を載せて、更にその上に人が乗っても、剪定ネットが破損する心配はない。
【考案の効果】
【００１２】
上述した説明した説明のとおり、請求項１の発明の剪定ネットによれば、単位ネット同士を任意に組み合わせて、互いの接続部を接続して所望の形状及び大きさを備えた１枚の剪定ネットが得られるので、作業現場に応じた形状及び大きさの剪定ネットを作成することが可能である。
【００１３】
さらに、請求項２の発明によれば方形同士の組み合わせによって、異なった形状・異なった大きさの方形が形成されるので、方形の単位ネットを組み合わせることによって多様な態様の剪定ネットを作成可能である。
【考案を実施するための最良の形態】
【００１４】
以下、この実施の形態について、図面を参照して説明する。なお、図中、各構成成分の大きさ、形状および配置関係は,この説明が理解できる程度に概略的に示してあるにすぎず、又以下に説明する数値的条件は単なる例示にすぎないことを理解されたい。
【００１５】
図1は、本発明に係る剪定ネットを構成する単位ネットの第1の実施の形態を示す図である。図２は、本発明に係る剪定ネットを構成する図１の単位ネットの約２倍の縁の長さを有する第２の単位ネットの実施の形態を示す図である。図３は、本発明に係る剪定ネットを構成する図２単位ネット同士を組み合わせた場合の第３の実施の形態を示す図である。図４は、図1の単位ネットと図２の単位ネットを組み合わせた場合の第４の実施の形態を示す図である。
【００１６】
本発明の剪定ネットは、従来の技術の欄で述べたように、植木の剪定作業において地面に敷設されるネットであって、後述する単位ネットを幾つか組みあわせることによって様々な形状および大きさのものを構成することができる（図４）。ここで、単位ネットとは、図１、図２に示すように、剪定ネットを構成する最小単位のネットあって、各単位ネットを自由に組み合わせることによって使用される。
【００１７】
以下、本発明の剪定ネットを構成する単位ネットに係る第1の実施の形態について説明する。図１に示すように、一辺の寸法が例えば５１センチメートルであって各辺の幅２センチが他の単位ネットとの接合部分になる。次に、第２の実施の形態について説明する。図２に示すように、この単位ネットは形状が正方形であり、一辺の寸法が例えば１メートルであって各縁の一定幅が他の単位ネットとの接合部分になる。材質は、何れも環境負荷の少ないポリエチレン製のネットから構成されている。ネットの網目は、植木の剪定作業において落下した枝葉等をもらさず回収できるように細密形成されている。図２の単位ネットにおいては、このネットの周縁部、表側の２１には雄側のファスナーを貼り２２には雌側のファスナを貼り２１と２２の中間部には切り目２４を施し、図２の周縁部には４個所のロープかけ穴（リング状金具）が、図１の周縁部には２箇所のロープかけ穴（リング状金具）をそれぞれ設けている。切り目２４は面ファスナーの表面と裏面とを容易に接続するために設けられている。
【００１８】
このように構成された単位ネットは、同単位のネット同士あるいは異単位のネットを組合わせて接続し、広面積のネットとして使用できる。
【００１９】
例えば同一単位のネット同士、図２を４枚接続する場合、図３のようになる。互いに隣接する単位ネットの２１と２２を面ファスナーにより密着させる。
【００２０】
また、図1の単位ネットと図２の単位ネットのように寸法の異なるネット同士を接続する場合、図４のようになる。一定の間隔ごとに切込みを入れることにより、自由な長さの接続部を設けることができる。いずれの場合でも単位ネット同士を接続する場合、大小にかかわらずスムーズに行えることを特徴とする。
【図面の簡単な説明】
【００２１】
【図１】本発明に係る剪定ネットを構成する単位ネットの第1の実施の形態を示す平面図
【図２】本発明に係る剪定ネットを構成する単位ネットの第２の実施の形態を示す平面図
【図３】図２の単位ネット同士が接続した状態を示す図
【図４】図１の単位ネットと図２の単位ネットが接続した状態を示す図
【符号の説明】
【００２２】
図１
１０  ネット
１１  マジック表面
１２  マジック裏面
１３  ロープかけ穴
１４  隅切り部
図２
２０  ネット
２１  マジック表面
２２  マジック裏面
２３  ロープかけ穴
２４  切り目
２５  隅切り部
【図１】
0003102163.tif 000003
【図２】
0003102163.tif 000004
【図３】
0003102163.tif 000005
【図４】
0003102163.tif 000006